(57)【要約】【課題】通信信号の送受信と測位信号の受信とを同時に行う場合において、ＳＡＷフィルタ等のフィルタを用いることなく、受信信号について妨害波の影響を受けずに高感度を得ることを可能とする合成用信号生成装置等を提供すること。【解決手段】発振器１１から出力された合成用信号の周波数を分周する分周器１２ａ等と、基準信号を出力する基準発振器９と、分周器１２ａ等で分周された合成用信号と基準信号との位相差を示す位相差データを出力する位相比較器１３と、位相比較器１３から出力される位相差データを発振器１１の制御電圧として出力するフィルタ１４等を有する合成用信号生成装置であって、受信信号の妨害波となる通信信号を構成する基本波又は高調波と、合成用信号を構成する基本波又は高調波との合成波の周波数が、中間周波数信号の周波数に略等しくなる場合に、合成用信号の周波数を変更する合成用信号周波数変更手段を有する。【選択図】図３
2007013303.tif 000002
【特許請求の範囲】
【請求項１】
受信信号と合成用信号との合成波を中間周波数信号として出力する周波数変換装置に対して、前記合成用信号を出力する発振器と、
前記発振器から出力された前記合成用信号の周波数を分周する分周器と、
基準信号を出力する基準発振器と、
前記分周器で分周された前記合成用信号と前記基準信号との位相差を示す位相差データを出力する位相比較器と、
前記位相比較器から出力される位相差データを前記発振器の制御電圧として出力するフィルタと、
を有する合成用信号生成装置であって、
前記受信信号の妨害波となる通信信号を構成する基本波又は高調波と、前記合成用信号を構成する基本波又は高調波との合成波の周波数が、前記中間周波数信号の周波数に略等しくなる場合に、前記合成用信号の周波数を変更する合成用信号周波数変更手段を有することを特徴とする合成用信号生成装置。
【請求項２】
分周比が異なる複数の前記分周器を有し、
前記合成用信号周波数変更手段は、
前記分周器を、分周比が異なる他の前記分周器に切り替えることによって、前記合成用信号の周波数を変更する構成となっていることを特徴とする請求項１に記載の合成用信号生成装置。
【請求項３】
出力する周波数が異なる複数の前記基準発振器を有し、
前記合成用信号周波数変更手段は、
前記基準発振器を、出力する周波数が異なる他の前記基準発振器に切り替えることによって、前記合成用信号の周波数を変更する構成となっていることを特徴とする請求項１に記載の合成用信号生成装置。
【請求項４】
請求項１乃至請求項３のいずれかに記載の合成用信号生成装置を具備することを特徴とするＩＣチップ。
【請求項５】
請求項４に記載のＩＣチップを有することを特徴とするＧＰＳ受信機。
【請求項６】
請求項４に記載のＩＣチップを有することを特徴とする携帯電話機。
【発明の詳細な説明】
【技術分野】
【０００１】
本発明は、測位のための信号を受信する受信機に関する。
【背景技術】
【０００２】
近年は、ＧＰＳ（Ｇｌｏｂａｌ  Ｐｏｓｉｔｉｏｎｉｎｇ  Ｓｙｓｔｅｍ）受信機が携帯電話機やＰＤＡ（Ｐｅｒｓｏｎａｌ  Ｄｉｇｉｔａｌ  Ａｓｓｉｓｔａｎｔ）などの通信機にも搭載されてきているが、ＧＰＳ受信機と携帯電話機などとを同時に使用すると、携帯電話機などから発信される通信信号が、ＧＰＳ受信機で受信されるＧＰＳ信号の妨害波となる場合がある。
そこで、従来のＧＰＳ受信機においては、携帯電話機などから発信される通信信号を受信信号からＳＡＷ（Ｓｕｒｆａｃｅ  Ａｃｏｕｓｔｉｃ  Ｗａｖｅ）フィルタを用いて取り除くことにより、ＧＰＳ受信機と携帯電話機やＰＤＡなどとの同時使用を可能としていた（例えば、特許文献１）。
【特許文献１】特開２００３−２５５０３６号公報（段落〔００４３〕）
【発明の開示】
【発明が解決しようとする課題】
【０００３】
しかし、ＳＡＷフィルタ等のフィルタを用いると、妨害波となる通信信号の除去は可能であるものの、ＧＰＳ信号のＳ／Ｎ比（Ｓｉｇｎａｌ  ｔｏ  Ｎｏｉｓｅ  ｒａｔｉｏ）が数ｄＢｍ劣化してしまう。このため、上記した従来のＧＰＳ受信機では、ＧＰＳ受信機と携帯電話機などとを同時に使用している間、ＧＰＳ信号について高感度を得ることができない場合があるという問題があった。
【０００４】
そこで、本発明は、通信信号の送受信と測位信号の受信とを同時に行う場合において、ＳＡＷフィルタ等のフィルタを用いることなく、受信信号について妨害波の影響を受けずに高感度を得ることを可能とする合成用信号生成装置、ＩＣ（Ｉｎｔｅｇｒａｔｅｄ  Ｃｉｒｃｕｉｔ）チップ、ＧＰＳ受信機、および携帯電話機を提供することを目的とする。
【課題を解決するための手段】
【０００５】
前記目的は、第１の発明によれば、受信信号と合成用信号との合成波を中間周波数信号として出力する周波数変換装置に対して、前記合成用信号を出力する発振器と、前記発振器から出力された前記合成用信号の周波数を分周する分周器と、基準信号を出力する基準発振器と、前記分周器で分周された前記合成用信号と前記基準信号との位相差を示す位相差データを出力する位相比較器と、前記位相比較器から出力される位相差データを前記発振器の制御電圧として出力するフィルタと、を有する合成用信号生成装置であって、前記受信信号の妨害波となる通信信号を構成する基本波又は高調波と、前記合成用信号を構成する基本波又は高調波との合成波の周波数が、前記中間周波数信号の周波数に略等しくなる場合に、前記合成用信号の周波数を変更する合成用信号周波数変更手段を有することを特徴とする合成用信号生成装置によって達成される。
【０００６】
前記周波数変換装置においては、前記受信信号と前記合成用信号とが合成されるのみならず、前記受信信号の妨害波となる通信信号を構成する基本波又は高調波と、前記合成用信号を構成する基本波又は高調波と、も合成される。このため、前記通信信号の周波数が前記受信信号の周波数と異なっていても、前記通信信号を構成する基本波又は高調波と、前記合成用信号を構成する基本波又は高調波と、の合成波の周波数が、前記中間周波数信号の周波数に略等しくなる場合がある。この場合、前記受信信号と前記合成用信号との合成波である中間周波数信号と、前記通信信号と前記合成用信号との合成波とを識別できなくなる結果、受信機の感度が劣化する。
この点、第１の発明の構成によれば、前記合成用信号生成装置は、前記合成用信号周波数変更手段を有するから、前記受信信号の妨害波となる通信信号を構成する基本波又は高調波と、前記合成用信号を構成する基本波又は高調波との合成波の周波数が、前記中間周波数信号の周波数に略等しくなる場合に、前記合成用信号の周波数を変更することができる。
このため、前記通信信号と前記合成用信号の合成波の周波数が、前記中間周波数信号の周波数に略等しくなることを回避することができる。
これにより、通信信号の送受信と測位信号の受信とを同時に行った場合において、ＳＡＷフィルタ等のフィルタを用いることなく、受信信号について妨害波の影響を受けずに高感度を得ることを可能にすることができる。
なお、本明細書において「略等しい」とは、厳密に等しい場合はもちろんのこと、厳密には等しくない場合も含む意味である。
【０００７】
第２の発明は、第１の発明の構成において、分周比が異なる複数の前記分周器を有し、
前記合成用信号周波数変更手段は、前記分周器を、分周比が異なる他の前記分周器に切り替えることによって、前記合成用信号の周波数を変更する構成となっていることを特徴とする合成用信号生成装置である。
【０００８】
第２の発明の構成によれば、前記合成用信号周波数変更手段は、前記分周器を、分周比が異なる他の前記分周器に切り替えるようになっている。前記分周器を切り換えることによって、前記位相比較器が生成する前記制御電圧を切り換えることができるから、前記発振器から出力される前記合成用信号の周波数を切り換えることができる。
【０００９】
第３の発明は、第１の発明の構成において、出力する周波数が異なる複数の前記基準発振器を有し、前記合成用信号周波数変更手段は、前記基準発振器を、出力する周波数が異なる他の前記基準発振器に切り替えることによって、前記合成用信号の周波数を変更する構成となっていることを特徴とする合成用信号生成装置である。
【００１０】
第３の発明の構成によれば、前記合成用信号周波数変更手段は、前記基準発振器を、出力する周波数が異なる他の前記基準発振器に切り替えるようになっている。前記基準発振器を切り換えることによって、前記位相比較器が生成する前記制御電圧を切り換えることができるから、前記発振器から出力される前記合成用信号の周波数を切り換えることができる。
【００１１】
前記目的は、第４の発明の構成によれば、第１の発明乃至第３の発明のいずれかの合成用信号生成装置を具備することを特徴とするＩＣチップによって達成される。
例えば、ＳＡＷフィルタを用いて妨害波を排除する場合には、ＳＡＷフィルタをＩＣチップの外付けとする必要があるため、受信機の小型化を図ることが困難である。
この点、第４の発明の構成によれば、ＳＡＷフィルタを用いることなく、ＩＣチップで妨害波の影響を抑制することができるため、受信機の小型化を図ることができる。
【００１２】
前記目的は、第５の発明によれば、第４の発明のＩＣチップを有することを特徴とするＧＰＳ受信機によって達成される。
第５の発明の構成によれば、ＧＰＳ受信機の軽量化、高速化及び低コスト化を図ることができる。
【００１３】
前記目的は、第６の発明によれば、第４の発明のＩＣチップを有することを特徴とする携帯電話機によって達成される。
第６の発明の構成によれば、通話しながら、受信信号を用いた測位をすることが可能となる。
【発明を実施するための最良の形態】
【００１４】
以下、添付した図面を参照しつつ、本発明を実施するための最良の形態を詳細に説明する。
【００１５】
（第１の実施の形態）  
図１は、本発明の第１の実施の形態に係るＧＰＳ機能付携帯電話機１を示す概略図である。
図１に示すように、ＧＰＳ機能付携帯電話機１は、ＧＰＳ信号Ｓ（図２（ａ）参照）を受信するＧＰＳ受信部２と、通信信号ＣＳ（図２（ｂ）参照）を送受信する通信部３と、を備えている。ＧＰＳ信号Ｓは、受信信号の一例である。本実施の形態においては、後述のように、通信信号ＣＳは、ＧＰＳ信号Ｓの妨害波となる。
また、図１に示すように、ＧＰＳ機能付携帯電話機１は、ＧＰＳ受信部２を有する。このＧＰＳ受信部２は、各部を制御するＣＰＵ１０、ＧＰＳ信号を受信するアンテナ４等を有する。
【００１６】
また、ＧＰＳ受信部２は、基準信号を出力する基準信号生成装置９を有する。基準信号生成装置９は、例えば、水晶発振器であり、所定の周波数を安定して生成することができる。この基準信号生成装置９は、基準発振器の一例である。
また、ＧＰＳ受信部２は、増幅器５及び７、ダウンコンバート装置６及びＰＬＬ（Ｐｈａｓｅ  Ｌｏｃｋｅｄ  Ｌｏｏｐ）装置８を有する。
ダウンコンバート装置６は、アンテナ４で受信して増幅器５を経て入力したＧＰＳ信号ＳとＰＬＬ装置８から出力されるＬＯ信号との合成波を、ＩＦ（Ｉｎｔｅｒｍｅｄｉａｔｅ  Ｆｒｅｑｕｅｎｃｙ、中間周波数）信号として出力する。ＬＯ信号は合成用信号の一例であり、ＰＬＬ装置８と基準信号生成装置９及びＣＰＵ１０は合成用信号生成装置の一例である。そして、ＩＦ信号は中間周波数信号の一例であり、ダウンコンバート装置６は周波数変換装置の一例である。
【００１７】
図２は、アンテナ４に入力するＧＰＳ信号Ｓの周波数等の一例を示す図である。
図２（ａ）に示すように、１５７５．４２メガヘルツ（ＭＨｚ）のＧＰＳ信号Ｓと、１５７５．２８８メガヘルツ（ＭＨｚ）のＬＯ信号とがダウンコンバート装置６（図１参照）において回路的に掛け合わされ、１３２キロヘルツ（ｋＨｚ）のＩＦ信号を生成することができる。
一方、図２（ｂ）に示すように、通信信号ＣＳが１９６９．０７７メガヘルツ（ＭＨｚ）の通信信号ＣＳだとすれば、その４倍波の周波数は７８７６．３０８メガヘルツ（ＭＨｚ）となる。そして、１５７５．２８８メガヘルツ（ＭＨｚ）のＬＯ信号の５倍波の周波数は７８７６．４４メガヘルツ（ＭＨｚ）である。そして、通信信号ＣＳの４倍波とＬＯ信号の５倍波がダウンコンバート装置６において回路的に掛け合わされることによって、１３２キロヘルツ（ｋＨｚ）の信号となる。この場合、通信信号ＣＳが、ＧＰＳ信号Ｓの妨害波となる。
この点、ＧＰＳ機能付携帯電話機１は、通信信号ＣＳが、ＧＰＳ信号Ｓの妨害波となることを、以下の構成によって防止することができる。
【００１８】
図３は、ＰＬＬ装置８の構成の一例等を示す図である。
図３に示すように、ＰＬＬ装置８は、ＶＣＯ（Ｖｏｌｔａｇｅ  Ｃｏｎｔｒｏｌｌｅｄ  Ｏｓｃｉｌｌａｔｏｒ）１１を有する。ＶＣＯ１１は、ＬＯ信号を出力する。すなわち、ＶＣＯ１１は、発振器の一例である。
ＰＬＬ装置８は、また、２つの分周器１２ａ、１２ｂを有する。分周器１２ａ等は、ＶＣＯ１１から出力されたＬＯ信号の周波数を分周する。この分周器１２ａ等は、分周器の一例である。
【００１９】
ＰＬＬ装置８は、また、位相比較器１３を有する。位相比較器１３は、分周器１２ａ又は１２ｂで分周されたＬＯ信号と基準信号生成装置９からの基準信号とを入力され、入力されたＬＯ信号と基準信号との位相差を示す位相差データをループフィルタ１４に出力する。
ループフィルタ１４は、入力された位相差データから、その交流成分を除去し、制御電圧としてＶＣＯ１１に出力する。
【００２０】
上述のように、ＰＬＬ装置８は、ループフィルタ１４からの制御電圧によって、ＶＣＯ１１を制御しているため、ＬＯ信号を目的の周波数で安定して出力することができる。
なお、ＰＬＬ装置８は、周波数的な負帰還回路であり、ＶＣＯ１１は、安定した周波数で動作を続ける。この安定した周波数は、基準信号の周波数と分周器の分周比で決定される周波数である。
【００２１】
ＰＬＬ装置８は、また、スイッチ１５を有する。ＶＣＯ１１から出力されたＬＯ信号は、ダウンコンバート装置６のみならず、分周比が異なる２つの分周器１２ａ、１２ｂのいずれか一方にも入力され、分周される。すなわち、ＰＬＬ装置８は、ＶＣＯ１１の自走発振周波数が水晶発振器などの基準信号生成装置９が生成する発振周波数と比較して高い周波数である。このため、ＰＬＬ装置８は、ＬＯ信号を、分周器１２ａ、１２ｂを用いて基準信号の周波数と同等の周波数に落とした上で、位相比較器１３に入力するのである。
【００２２】
ＰＬＬ装置８は、スイッチ１５を切り替えることによって、ＬＯ信号が２つの分周器１２ａ、１２ｂのうちのいずれに入力するかを決定する。具体的には、このスイッチ１５は、ＣＰＵ１０によって制御される。
ＣＰＵ１０は、通信信号ＣＳがＧＰＳ信号Ｓの妨害波となる場合に、スイッチ１５を制御して、分周器１２ａ又は１２ｂの切り替えを行うことによって、ＬＯ信号の周波数を変更するようになっている。すなわち、ＣＰＵ１０とスイッチ１５は、合成用信号周波数変更手段の一例である。
【００２３】
ＬＯ信号の周波数を決定する要素は、基準信号生成装置９が出力する基準信号の周波数と分周器１２ａ等の分周比であるが、ＣＰＵ１０は、図２（ｃ）の式１が成立する場合に、分周器１２ａ又は１２ｂの切り替えを行うようになっている。
すなわち、通信信号ＣＳを構成する基本波又は高調波のうちのいずれか１つの波と、ＬＯ信号を構成する基本波又は高調波のうちのいずれか１つの波と、の合成波の周波数が、ＩＦ信号の周波数に等しくなる場合（以下、中間周波数一致状態と呼ぶ）、分周器１２ａ、１２ｂを切り替える。
これにより、式１が成立しなくなるようにすることができる。すなわち、中間周波数一致状態となることを防止することができる。
【００２４】
なお、式１においては、完全な中間周波数一致状態を示しているが、完全な中間周波数一致状態のみならず、ＣＰＵ１０は通信信号ＣＳを構成する基本波又は高調波のうちのいずれか１つの波と、ＬＯ信号を構成する基本波又は高調波のうちのいずれか１つの波と、の合成波の周波数が、ＩＦ信号の周波数に略等しくなる場合にも分周器１２ａ、１２ｂを切り替える。すなわち、ＣＰＵ１０は、通信信号ＣＳをダウンコンバート装置６（図１参照）によってダウンコンバートした周波数が、ＧＰＳ信号Ｓの妨害波となる周波数範囲である例えば、ＩＦ信号の周波数との周波数差が５パーセント（％）以内の範囲に入る場合に、分周器１２ａ、１２ｂを切り替えるのである。
【００２５】
図２（ｄ）に示すように、基準信号の周波数は２６．４メガヘルツ（ＭＨｚ）、分周器１２ａの分周比は１／５９．６７、分周器１２ｂの分周比は１／５９．６８である。
分周器１２ａを使用するとＬＯ１が生成され、ＬＯ１の５倍波と、１９６９．０７７メガヘルツ）ＭＨｚの通信信号ＣＳの４倍波との合成波によって、中間周波数一致状態が発生する。
ところが、分周器１２ａを使用すると周波数が１５７５．５５２メガヘルツ（ＭＨｚ）のＬＯ２が生成され、ＬＯ２の基本波又は高調波と、通信信号ＣＳの基本波又は高調波とが合成されても、中間周波数一致状態は発生しない。
このため、図２（ｂ）に示すように、通信信号ＣＳの周波数が１９６９．０７７メガヘルツ（ＭＨｚ）である場合には、ＣＰＵ１０がスイッチ１５を制御して、分周器１２ｂを使用することによって、中間周波数一致状態が発生することを防止することができる。
一方、図２（ｅ）に示すように、ＧＰＳ信号Ｓは、ＬＯ１とＬＯ２のいずれと合成されても、ＩＦ信号の周波数となる。すなわち、図２（ｆ）に示すように、ＧＰＳ信号Ｓの周波数とＬＯ１及びＬＯ２との周波数との差分がＩＦ周波数であれば、ＧＰＳ信号Ｓは、ＬＯ１とＬＯ２のいずれと合成されても、ＩＦ信号の周波数となる。
これにより、通信信号の送信と測位信号の受信とを同時に行った場合において、ＳＡＷフィルタ等のフィルタを用いることなく、受信信号について高感度を得ることを可能にすることができる。
【００２６】
以上が、ＧＰＳ機能付携帯電話機１の構成である。以下、ＧＰＳ機能付携帯電話機１の動作例を、主に、中間周波数一致状態が成立するか否かの判断方法を中心に説明する。なお、中間周波数一致状態の成立を、切り替え条件の成立とも呼ぶ。  
【００２７】
（ＧＰＳ機能付携帯電話機１の動作例について）
図４及び図５は、ＧＰＳ機能付携帯電話機１の動作例を示す概略フローチャートである。
まず、ＣＰＵ１０は、通信部３が通信中であるか否かを判断し（図５のステップＳＴ１）、通信中であれば、ステップＳＴ２に進む。
【００２８】
ステップＳＴ２において、ＣＰＵ１０は、通信信号ＣＳの周波数を取得する。
なお、ＣＰＵ１０は、通信信号ＣＳの周波数を、通信部３（図１参照）から、リアルタイムまたは所定時間ごとに取得することができるが、通信信号ＣＳの周波数が一定の場合には、メモリ（図示せず）から一回取得すれば足りる。
【００２９】
次に、ＣＰＵ１０は、図２（ｃ）の式１が成立するかどうかを判断することによって、切り換え条件が成立しているかどうかを判断する（ステップＳＴ３）。ＣＰＵ１０は、切り替え条件が成立していると判断した場合には、スイッチ１５を制御して、分周器１２ａ、１２ｂを切り換える。すなわち、ＣＰＵ１０は、通信信号ＣＳを構成する基本波又は高調波のうちのいずれか１つの波と、ＬＯ信号を構成する基本波又は高調波のうちのいずれか１つの波と、の合成波の周波数が、ＩＦ信号の周波数に等しくなる場合に、スイッチを制御して、分周器１２ａ、１２ｂを切り換える。
【００３０】
図５は、切り換え条件が成立しているか否かを判断する方法の一例を示している。
まず、ＣＰＵ１０は、図２（ｃ）の式１に示す「ｎ」と「ｍ」とを初期化する（ステップＳＴ３−１、ＳＴ３−２）。すなわち、ＣＰＵ１０は、「ｎ」と「ｍ」とをそれぞれ「１」に設定する。
【００３１】
次に、ＣＰＵ１０は、切り換え条件が成立しているか否かを判断し（ステップＳＴ３−３）、成立している場合には、処理を終了し、成立していない場合には、次のステップ（ステップＳＴ３−４）に進む。
次に、ＣＰＵ１０は、「ｎ＝２０」が成立しているか否かを判断し（ステップＳＴ３−４）、成立していなければ、「ｎ＝ｎ＋１」として「ｎ」を「１」増加（ステップＳＴ３−５）させた後、ステップＳＴ３−３に戻る。他方、ＣＰＵ１０は、「ｎ＝２０」が成立している場合、ステップＳＴ３−６に進む。
【００３２】
次に、ＣＰＵ１０は、「ｍ＝２０」が成立しているか否かを判断し、成立していなければ、「ｍ＝ｍ＋１」として「ｍ」を「１」増加させ（ステップＳＴ３−７）、かつ、「ｎ＝１」として「ｎ」を「１」に戻した（ステップＳＴ３−８）後、ステップＳＴ３−３に戻る。他方、ＣＰＵ１０は、「ｍ＝２０」が成立している場合、処理を終了する。
以上で説明した方法によって、図２（ｃ）の式１の成立するか否かを漏れなく判断することができる
【００３３】
以上説明したように、ＧＰＳ機能付携帯電話機１によれば、妨害波の影響をＳＡＷフィルタ等のフィルタを用いることなく抑制できるため、通話中やメールの送信中にＧＰＳ機能を使用しても、ＧＰＳ信号について従来よりも高感度を得ることが可能となる。たとえば、ＳＡＷフィルタは受信信号を１〜２ｄＢｍ劣化させるが、ＧＰＳ機能付携帯電話機１は、ＳＡＷフィルタを使用することなく妨害波の影響を抑制できるから、受信信号が１〜２ｄＢｍの劣化することを避けることができる。
また、ＧＰＳ機能付携帯電話機１によれば、通話しながら、ＧＰＳ信号Ｓを利用した測位が可能とる。また、ＰＬＬ装置８によれば、ＩＣチップ上に作成することができるため、ＧＰＳ受信部２の小型化を図ることができる。
また、ＧＰＳ機能付携帯電話機１によれば、妨害波となる電波を避けることで、高感度を維持できるダウンコンバート回路を提供できる。
また、ＧＰＳ機能付携帯電話機１によれば、ＳＡＷフィルタ等のフィルタをＩＣの外付け部品として取り付けた場合と比較して、次のようなメリットがある。まず、ＳＡＷフィルタによる、ＧＰＳ信号Ｓの劣化が無くなり、ＧＰＳ信号ＳのＳ／Ｎ比が改善される。さらに、分周器による構成の場合、ＩＣ内部に回路を搭載するため外付け部品を削減し、床面積を縮小することができる。
【００３４】
（第２の実施の形態）
次に、第２の実施の形態のＧＰＳ機能付携帯電話機１Ａについて説明する。
第２の実施の形態のＧＰＳ機能付携帯電話機１Ａの構成は、上記第１の実施の形態のＧＰＳ機能付携帯電話機１と多くの構成が共通するため共通する部分は同一の符号等とし、説明を省略し、以下、相違点を中心に説明する。
【００３５】
図６は、ＧＰＳ機能付携帯電話機１Ａの要部であるＰＬＬ装置８Ａの構成の一例を示す概略図である。
図６に示すように、ＰＬＬ装置８Ａは、２つの基準信号生成装置９ａ、９ｂを有する。
基準信号生成装置９ａ、９ｂが出力する基準信号は、互いに周波数が異なる。
スイッチ１５は、ＣＰＵ１０によって制御され、図２（ｃ）の式１が成立する場合に、スイッチ１５を制御し、基準信号生成装置９ａ、９ｂを切り替える。このＣＰＵ１０とスイッチ１５は、合成用信号周波数変更手段の一例である。
スイッチ１５によって、基準信号生成装置９ａ、９ｂを切り替えることによって、位相比較器１３に入力される基準信号の周波数を切り換えることができる。これにより、位相比較器１３から出力される位相差データを変化させることができるから、ＶＣＯ発振器１１へ出力する制御電圧を変化させ、ＶＣＯ１１から出力されるＬＯ信号の周波数を切り換えることができる。
これにより、図２（ｃ）の式１が成立することを防止することができ、通信信号ＣＳが、ＧＰＳ信号Ｓの妨害波となることを防止することができる。
【００３６】
本発明は、上述の各実施の形態に限定されない。さらに、上述の各実施の形態は、相互に組み合わせて構成するようにしてもよい。
例えば、第１の実施の形態においては、分周器は、分周器１２ａ及び１２ｂの２個としていたが、ＰＬＬ装置８は、分周比が異なる分周器を３個以上有していてもよい。  
また、第２の実施の形態においては、基準信号生成装置は、基準信号生成装置９ａ及び９ｂの２個としていたが、ＰＬＬ装置８Ａは、周波数が異なる基準信号生成装置を３個以上有していてもよい。
例えば、ＧＰＳ機能付携帯電話機１等においては、通信信号ＣＳとは別に、ＧＰＳ信号Ｓを受信するとしたが、本発明は、ＧＰＳ信号Ｓのみならず、通信信号ＣＳとは別に受信するすべての受信信号について適用することができる。
また、ＧＰＳ機能付携帯電話機１等について説明したが、本発明は、携帯電話機に限らず、ＧＰＳ信号Ｓなどの受信信号を通信信号ＣＳの送受信とは別に受信する受信機を備えたすべての装置（たとえば、Ｂｌｕｅｔｏｏｔｈ（登録商標）などで使用されるＲＦ（ＩＣ）部分など）に適用できる。
また、上述の実施の形態においては、ダウンコンバート装置６が受信したＧＰＳ信号について周波数変換を行うとしたが、本発明においては、ダウンコンバート装置６のみならず、受信信号について周波数変換を行うことができるすべての周波数変換手段を用いることができる。
また、上述の実施の形態においては、ダウンコンバート装置６に出力される信号がＬＯ信号であるとしたが、本発明においては、ＬＯ信号のみならず、周波数変換を行うために受信信号と合成されるすべての合成用信号を用いることができる。
また、上述の実施の形態においては、ＬＯ信号などの合成用信号を生成する装置としてＰＬＬ装置８を用いたが、本発明においては、ＰＬＬ装置８のみならず、合成用信号を生成するすべての合成用信号生成装置を用いることができる。
また、上述の実施の形態に示すように、「ｎ」、「ｍ」の上限値を２０として式１に示す切り換え条件が成立しているかどうかの判断を通信信号の基本波〜２０倍波、およびＬＯ信号の基本波〜２０倍波について行えば、ＣＰＵ１０の負荷を抑えつつ、ＩＦ信号に対する妨害波の影響を概ね抑えることができるが、本発明は、この判断を行う高調波を２０倍波までに限定するものではない。本発明において、「ｎ」、「ｍ」の値は、自然数であれば足りる。
また、図５に示す方法に基づいて、図２（ｃ）の式１の成立の可否を漏れなく判断することができるが、本発明は、式１に示す切り換え条件が成立しているかどうかの判断方法を何ら限定するものではない。したがって、本発明においては、図５に示す方法とは異なる方法でも、式１に示す切り換え条件が成立しているか否かを判断することができる。
また、上述の実施の形態においては、スイッチによって分周器１２ａ、１２ｂまたは基準信号生成装置９ａ、９ｂを切り換えることによりＬＯ信号の周波数を変更したが、本発明には、合成用信号の周波数を変更するすべての手段が含まれる。たとえば、分周器１２ａ、１２ｂと基準信号生成装置９ａ、９ｂとの双方を切り換えることによってＬＯ信号の周波数を変更することも本発明に含まれる。
【図面の簡単な説明】
【００３７】
【図１】本発明の実施の形態のＧＰＳ機能付携帯電話機の概略図である。
【図２】ＧＰＳ信号の一例等を示す図である。
【図３】ＰＬＬ装置の構成例を示す図である。
【図４】ＧＰＳ機能付携帯電話機１の動作例を示す概略フローチャートである。
【図５】ＧＰＳ機能付携帯電話機１の動作例を示す概略フローチャートである。
【図６】ＰＬＬ装置の構成例を示す図である。
【符号の説明】
【００３８】
１，１Ａ・・・ＧＰＳ機能付携帯電話機、２・・・ＧＰＳ受信部、３・・・通信部、４・・・アンテナ、５，７・・・増幅器、６・・・ダウンコンバート装置、８，８Ａ・・・ＰＬＬ装置、９，９ａ，９ｂ・・・基準信号生成装置、１０・・・ＣＰＵ、１１・・・発振器、１２，１２ａ，１２ｂ・・・分周器、１３・・・位相比較器、１４・・・ループフィルタ、１５・・・スイッチ
【図１】
2007013303.tif 000003
【図２】
2007013303.tif 000004
【図３】
2007013303.tif 000005
【図４】
2007013303.tif 000006
【図５】
2007013303.tif 000007
【図６】
2007013303.tif 000008